(57)【要約】【課題】ハイパーソニック効果によりトイレ空間の快適性を向上させると共に、低コストで小型に構成できる衛生洗浄装置を提供する。【解決手段】便器２上に載置される便座６と、便器２の開口部上および便座上を覆うための便蓋５と、便座及び便蓋５を軸支する装置本体１５と、２０ｋＨｚ〜１００ｋＨｚの範囲内の所定周期の高周波信号を発生する高周波信号発生部１０と、高周波信号発生部１０で発生した正弦波信号を高周波音に変換する高周波音供給部１６と、制御部２７と、を有する。【選択図】図１
2011140772.tif 000002
【特許請求の範囲】
【請求項１】
用便用の開口部を有する便器に載置された装置本体と、
前記装置本体に回動自在に軸支され前記便器の前記開口部上に載置された状態で使用者が着座する着座面を有する便座と、
前記装置本体に回動自在に軸支され前記便器の前記開口部上および前記便座上を覆うための便蓋と、
２０ｋＨｚ〜１００ｋＨｚの範囲内の所定周期の正弦波信号を発生する高周波信号発生部と、
前記正弦波信号を高周波音に変換する高周波音供給部と、
少なくとも前記高周波信号発生部の動作を制御する制御部と、
を備えた衛生洗浄装置。
【請求項２】
前記高周波信号発生部が前記装置本体に設けられており、前記高周波音供給部が前記便蓋に設けられている請求項１に記載の衛生洗浄装置。
【請求項３】
前記高周波信号発生部及び前記高周波音供給部が前記便蓋に設けられている請求項１に記載の衛生洗浄装置。
【請求項４】
少なくとも前記高周波音供給部が前記装置本体に設けられている請求項１に記載の衛生洗浄装置。
【請求項５】
前記装置本体とは別体に設けられたリモートコントローラを有しており、
前記高周波信号発生部及び前記高周波音供給部が前記リモートコントローラに設けられている請求項１に記載の衛生洗浄装置。
【請求項６】
前記高周波音供給部と前記使用者との距離が１０ｃｍ〜１００ｃｍの範囲で用いられる請求項１〜５のうちの何れか１項に記載の衛生洗浄装置。
【請求項７】
前記高周波音供給部の動作状態を報知する報知手段を有する請求項１〜６のうちの何れか１項に記載の衛生洗浄装置。
【請求項８】
前記制御部は、前記高周波音の音圧レベルがトイレ空間内の騒音の音圧レベルよりも大きくなるように、前記高周波信号発生部の動作を制御する請求項１〜７のうちの何れか１項に記載の衛生洗浄装置。
【発明の詳細な説明】
【技術分野】
【０００１】
本発明は、音響設備を有する衛生洗浄装置に関する。
【背景技術】
【０００２】
用便の時に使用者の局部を洗浄する衛生洗浄装置としては、トイレ室内をくつろぎの空間として、使用者が感じる快適性を向上させるべく様々な改善がなされてきた。その１つの手段として、衛生洗浄装置に音響設備を付加して、好みの音楽をトイレ室内で再生する手段が提案されている。
【０００３】
例えば、図１０（特許文献１の図１を参照）に示すように、便器を配置したトイレ室１００内にリモートコントローラ装置１０１及びプレーヤ１０２を設け、収納ケース１０３内にスピーカー１０４を設けて、使用者がリモートコントローラ装置１０１を操作することにより、プレーヤ１０２で再生した音楽をスピーカー１０４で再生して、その再生音をトイレ室１００内に流すトイレ用音響システムを有する便座装置が提案されている（特許文献１を参照）。
【０００４】
また、近年では、可聴周波数範囲の音をとともに、可聴周波数範囲を超える周波数範囲の環境音を人間に対して印加することにより、ハイパーソニック効果を得られることが、実験的に証明されている。
【０００５】
その具体的手段として、図１１に示すようなものがある。同図に示すように、ＳＡＣＤフォーマットによる信号ディスク１０５、信号ディスク１０５を再生するＳＡＣＤプレーヤ１０６、ＳＡＣＤプレーヤ１０６からの電気信号を可聴周波数成分（ＬＦ）と高周波成分（ＨＦ）とに分離する前置増幅器１０７、前置増幅器１０７で分離した電気信号をそれぞれ増幅させる電力増幅器１０８、可聴周波数成分を再生するスピーカー１０９、および高周波音を再生するスーパーツィーター１１０で構成された環境設定装置が提案されている（特許文献２の図６１を参照）。
【０００６】
都市空間型環境は、１０ＫＨｚ以下の音の発生源が多く、高周波成分の音源が有ったとしても、高周波成分の音は乱立する建物等の影響により減衰し易く、可聴周波数の騒音（都市空間型環境音）が充満した環境といえる。
【０００７】
熱帯雨林型環境は、障害物が少ないことから、高周波成分の音が減衰し難いため、可聴周波数の騒音以外にも５０ＫＨｚ以下の高周波成分の音を多く含んだ熱帯雨林型環境音に満ちた環境といえる。
【０００８】
後者の発明は、２０ＫＨｚ以上の周波数成分を含む熱帯雨林自然環境音に満ちた環境を作り、人間の脳基幹部を活性化して、人間の脳に優しい環境を実現している。
【先行技術文献】
【特許文献】
【０００９】
【特許文献１】特開２００４−１１６０９２号公報
【特許文献２】特開２００５−１１１２６１号公報
【発明の概要】
【発明が解決しようとする課題】
【００１０】
しかしながら、特許文献１に示すトイレ用音響システムは、コンパクトディスク（ＣＤ
）やミニディスク（ＭＤ）などの記録媒体に音を記録する場合、音信号を４４．１ｋＨｚのサンプリング信号でサンプリングしながら録音再生するため、最高約２０ＫＨｚまでの音信号しか再生することができず、特許文献１の音響システムに特許文献２の技術を単純に適用することができなかった。
【００１１】
そのため、ハイパーソニック効果を得るためには、２０ＫＨｚ以上の高周波成分を含む音情報を記憶する大容量のメモリーが必要であり、メモリーに記憶した情報を再生する装置も必要となった。しかし、これらの装置は決して安価なものではなく、安価なシステムを提供するという観点から更に改善の余地があった。
【００１２】
また、上述の特許文献２に記載の従来の環境設定装置は、ハイパーソニック効果を得るために、多くの回路ブロックを要し、スーパーツィーター１１０や、スピーカー１０９が必要であり、トイレ空間のように限られたスペースに設置するには、装置が大き過ぎるという問題があった。
【００１３】
また、上述の特許文献２では、熱帯雨林型環境音に関して、「非定常なゆらぎ構造（一定の周期を有さないゆらぎ音構造）は、その後の検討で、本発明者らの研究に使う音源として必須なものであることがわかった。というのは、この超高周波成分を、平均パワースペクトルを等しくしたゆらぎのない定常性の帯域雑音に入れ換えたり、周期性の正弦波に変えると、その効果を喪い、あるいは負の効果を導くからである。」としている（特許文献２の段落［０５６５］参照）。
【００１４】
本発明は、上記従来技術の有する課題に鑑みてなされたものであり、本発明者らは、実験を重ねて改善の余地を検討し、本発明をするに至った。本発明は、ハイパーソニック効果によりトイレ空間の快適性を向上させると共に、低コストで小型に構成できる衛生洗浄装置を提供することを目的とする。
【課題を解決するための手段】
【００１５】
本発明者らは、上記目的を達成すべく鋭意検討を重ねた結果、周期性を有する正弦波音を使用した場合であっても、特許文献２で提案している「非定常なゆらぎ構造（一定の周期を有さないゆらぎ構造）」を使用した場合と同様に、ハイパーソニック効果を得られることを実験的に見出し、本発明に到達した。
【００１６】
すなわち、本発明の衛生洗浄装置は、用便用の開口部を有する便器に載置された装置本体と、前記装置本体に回動自在に軸支され前記便器の前記開口部上に載置された状態で使用者が着座する着座面を有する便座と、前記装置本体に回動自在に軸支され前記便器の前記開口部上および前記便座上を覆うための便蓋と、２０ｋＨｚ〜１００ｋＨｚの範囲内の所定周期の正弦波信号を発生する高周波信号発生部と、前記正弦波信号を高周波音に変換する高周波音供給部と、少なくとも前記高周波信号発生部の動作を制御する制御部と、を備えたものである（請求項１）。
【００１７】
この構成により、使用者が便座に着座して本装置を作動させると、所定周期の高周波音が高周波音供給部から発せられ、使用者の耳や皮膚から脳に高周波音の刺激が伝わり、使用者をリラックスさせるハイパーソニック効果が得られ、トイレ空間内に滞在するときの快適性を向上することができる。また、この衛星洗浄装置は、ＣＤ，メモリー等の記憶媒体を用いることなく、少ない回路ブロック数で構成できるため、装置全体を小型且つ低コストで構成することができる。
【００１８】
さらに、本発明の衛生洗浄装置は、高周波信号発生部が装置本体に設けられており、高周波音供給部が便蓋に設けられていることが好ましい（請求項２）。
【００１９】
これにより、高周波音供給部から発した高周波音が、障害物などの影響を受けることなく、使用者の背面至近距離から使用者へ伝えられ、空間内を伝播する高周波音を減衰させないから、使用者の受容する高周波音を増加させることができる。従って、使用者に確実にハイパーソニック効果を与えることができ、トイレ空間の快適性を向上させることができる。
【００２０】
さらに、本発明の衛生洗浄装置は、高周波信号発生部及び高周波音供給部が便蓋に設けられていることが好ましい（請求項３）。
【００２１】
これにより、高周波音供給部から発した高周波音が、障害物などの影響を受けることなく、使用者の背面至近距離から使用者へ伝えられるので、空間内を伝播中の高周波音が減衰しないから、使用者が受容する高周波音を増加させることができる。そして、使用者に確実にハイパーソニック効果を与えることができ、トイレ空間の快適性を向上させることができる。さらに、高周波信号発生部と高周波音供給部を近接して設けることで、高周波信号発生部と高周波音供給部との間を電気信号が伝達する時に、飛来ノイズが混入することを防止でき、ノイズやひずみのない高周波音を供給することができる。
【００２２】
また、本発明の衛生洗浄装置は、少なくとも高周波音供給部が装置本体に設けられていることが好ましい（請求項４）。
【００２３】
これにより、使用者に至近距離から高周波音を供給することで、空気中での高周波音の減衰を減らすことが可能となり、使用者の受容する高周波音を増加させることができる。このため、使用者に確実にハイパーソニック効果を与えることができ、トイレ空間の快適性を向上することができる。また、便蓋の重量を軽量化することが可能となり、便蓋可動部の負荷を軽減することができる。
【００２４】
さらに、本発明の衛生洗浄装置は、装置本体とは別体に設けられたリモートコントローラを有しており、高周波信号発生部及び高周波音供給部が前記リモートコントローラに設けられていることが好ましい（請求項５）。
【００２５】
この構成により、リモートコントローラをトイレ空間の壁等に設置すれば、高周波音供給部から発した高周波音が、障害物などの影響を受けることなく、使用者の至近距離から使用者に供給され、使用者に確実にハイパーソニック効果を与えることができ、トイレ空間の快適性を向上させることができる。また、リモートコントローラを壁等から取り外せば、高周波音供給部の持ち運びが可能となり、使用者がトイレ空間以外の空間に居ても、使用者にハイパーソニック効果を与えることができる。
【００２６】
また、本発明の衛生洗浄装置は、高周波音供給部と使用者との距離が１０ｃｍ〜１００ｃｍの範囲で用いられることが好ましい（請求項６）。
【００２７】
この構成により、高周波音供給部から発する高周波音を減衰させずに使用者に伝達することが可能となり、使用者が受容する高周波音を増加させて、ハイパーソニック効果をより効果的に得て、トイレ空間内の快適性を十分に向上させることができる。
【００２８】
さらに、本発明の衛生洗浄装置は、高周波音供給部の動作状態を報知する報知手段を有することが好ましい（請求項７）。
【００２９】
これにより、報知手段により視覚的に高周波音の表示を行うことができ、高周波音が供給されているかどうかの判断を視覚的に容易に行うことができる。
【００３０】
また、本発明の衛生洗浄装置は、高周波音の音圧レベルがトイレ空間内の騒音の音圧レベルよりも大きくなるように、高周波信号発生部の動作を制御することが好ましい（請求項８）。
【００３１】
これにより、高周波音供給部から発した所定周期の高周波音が、使用者の耳から脳に刺激を伝え、使用者をリラックスさせるハイパーソニック効果が得られ、トイレ空間内に滞在するときの快適性を向上することができる。
【発明の効果】
【００３２】
本発明の衛生洗浄装置によれば、所定周期の高周波音が便座に着座した使用者に供給され、高周波音の刺激が使用者の耳や皮膚から脳に伝わり、使用者をリラックスさせるハイパーソニック効果が得られ、トイレ空間の快適性を向上させることができる。また、装置全体を少ない回路ブロック数で構成でき、装置全体を小型且つ低コストで構成できる。
【図面の簡単な説明】
【００３３】
【図１】本発明の第１実施形態に係る衛生洗浄装置の外観図
【図２】同衛生洗浄装置におけるリモートコントローラの一例を示す斜視図
【図３】同衛生洗浄装置におけるリモートコントローラ及び装置本体の回路構成を示すブロック図
【図４】本発明の第２実施形態に係る衛生洗浄装置を示す外観図
【図５】本発明の第３実施形態に係る衛生洗浄装置におけるリモートコントローラの一例を示す斜視図
【図６】本発明の第４実施形態に係る衛生洗浄装置におけるリモートコントローラの概略図
【図７】実施例における音質主観評価図
【図８】実施例における脳波変化図
【図９】実施例における高周波音供給部の音圧レベル図
【図１０】特許文献１に記載の従来の衛生洗浄装置を示す外観図
【図１１】特許文献２に記載の従来の環境設定装置のブロック図
【発明を実施するための形態】
【００３４】
以下、図面を参照しながら本発明の衛生洗浄装置の好適な実施形態について詳細に説明する。なお、以下の説明では、同一または相当部分には同一符号付し、重複する説明は省略する。
【００３５】
（第１実施形態）
以下、第１実施形態の衛生洗浄装置１について説明する。図１は、本発明の衛生洗浄装置の第１実施形態を示す外観図である。
【００３６】
図１に示すように、トイレ室（トイレ空間）３内には、用便用の開口部を有する便器２と、便器２に供給する洗浄水を貯水した洗浄水タンク１９と、水道管から洗浄水タンク１９へ洗浄水を供給するための給水配管（図示せず）とが設けられている。
【００３７】
そして、衛生洗浄装置１は、主として、人体検知部４と、便蓋５と、便座６と、リモートコントローラ１４と、装置本体１５と、電気ケーブル７とから構成されている。そして、衛星洗浄装置１は、この便器２の開口部上に載置され、電気ケーブル７はトイレ室３の壁面に設けられたコンセントに接続されている。また、衛生洗浄装置１のリモートコントローラ１４は、通常、トイレ室３の壁の所定箇所に取付具（図示せず）を設けて、その取付具内に取り外し可能に収納されている。
【００３８】
まず、便座６について説明する。
【００３９】
便座６は、装置本体１５に対して回動自在に軸支されており、便器２の開口部上に載置された状態で、使用者が着座する着座面を有している。この便座６内には、この着座面を加熱する加熱ヒータ（図示せず）が内蔵されている。
【００４０】
次に、人体検知部４について説明する。
【００４１】
図１に示す人体検知部４は、トイレットルームに使用者が入室しているか否かを検知し、その検知情報を装置本体１５に送信するものである。この人体検知部４は、衛生洗浄装置１の設置環境において、トイレ室３に入室又は退室する使用者を検知しやすい場所、例えば、トイレ室３の入口付近等に取り付けられる。
【００４２】
この人体検知部４は、例えば、赤外線の発光部と、赤外線の受光部とを有する反射型の赤外線センサなどの光学センサが好ましく採用される。人体検知部４として赤外線センサを採用した場合、人体検知部４は、その発光部から発射される赤外線がトイレ室３内に入室した使用者の身体に当って反射し、反射した赤外線を着座検知部１８の受光部で受光し、使用者がトイレ室３へ入室しているか否かの情報を検知する。
【００４３】
次に、リモートコントローラ１４について説明する。
【００４４】
図２は、衛生洗浄装置におけるリモートコントローラの一例を示す模式図である。
【００４５】
図２に示すように、リモートコントローラ１４の前面には、おしりスイッチ２０、ビデスイッチ２１、乾燥スイッチ２２、インジケータ２３、調節スイッチ２４、停止スイッチ２５、癒しスイッチ２６等の各スイッチが設けられている。
【００４６】
リモートコントローラ１４は、使用者が上記各スイッチを操作すると、各スイッチの動作に応じた所定の信号をリモートコントローラ１４から装置本体１５の制御部２７（図３参照）に無線送信するように構成されている。更に、後述する装置本体１５の制御部２７（図３参照）は、リモートコントローラ１４から受信した信号に基づいて装置本体１５及び便座６の各構成部の動作を制御するように構成されている。
【００４７】
例えば、使用者がおしりスイッチ２０又はビデスイッチ２１を操作すると、そのスイッチ動作に応じて制御部２７が作動し、ノズル８（図１、図４参照）から使用者の局部に洗浄水が噴出されるように構成されている。そして、使用者が調整スイッチ２４を操作すると、使用者の局部に噴出される洗浄水の流量及び圧力等（洗浄水の強さ）を調整することができる。
【００４８】
図２に示すように、リモートコントローラ１４の前面における調整スイッチ２４の左側には、インジケータ２３が設けてある。インジケータ２３は、調整スイッチ２４の操作で変化する洗浄水の強度を５段階に分けて表示することができ、使用者に５段階表示で視覚的に認識させることができる。
【００４９】
また、使用者が停止スイッチ２５を操作すると、停止スイッチ２５の動作に応じて制御部２７が作動し、ノズル８から使用者の局部へ噴出する洗浄水を停止するように構成されている。
【００５０】
さらに、使用者が乾燥スイッチ２２を操作すると、乾燥スイッチ２２の動作に応じて制
御部２７が作動し、乾燥手段９（図３参照）から使用者の局部およびその周辺へ向けて温風が吹き出すように構成されている。そして、使用者が調節スイッチ２４を操作すると、送風される温風の温度を調節することができる。また、温風を送風しつつ調節スイッチ２４が操作されると、インジケータ２３が調節スイッチ２４の操作で変化する温風の温度を５段階で表示する。さらに、使用者が停止スイッチ２５を操作すると、停止スイッチ２５の動作に応じて制御部２７が作動し、乾燥手段９から使用者の局部への温風の送風を停止する。
【００５１】
また、使用者が癒しスイッチ２６を操作すると、癒しスイッチ２６の動作に応じて制御部２７が作動し、後述する高周波信号発生部１０（図３参照）により高周波信号が発生され、後述する高周波音供給部１６（図１、図３参照）がその高周波信号を高周波音に変換して使用者に供給するように構成されている。
【００５２】
さらに、このとき、使用者が調節スイッチ２４を操作すると、後述する高周波音供給部１６から使用者に供給される高周波音の大きさを調節できる構成になっており、使用者の好みに合わせて高周波音の大きさに調節することができる。すなわち、使用者が調節スイッチ２４を操作すると、超音波制御部１１（図３参照）が発振回路１２へ与える制御信号を制御することにより、発振回路１２（図３参照）の発振出力（高周波信号）のレベルが変化し、高周波音供給部１６から発する高周波音の音圧レベルを調節して、適度な大きさの高周波音を使用者に供給できるように構成されている。
【００５３】
そして、使用者が停止スイッチ２５を操作すると、停止スイッチ２５の動作に応じて制御部２７が作動し、高周波信号発生部１０による高周波信号の発生が停止され、高周波音供給部１６から使用者へ供給される高周波音が停止するように構成されている。
【００５４】
なお、高周波信号を停止する手段としては、超音波制御部１１から発振回路１２へ与える制御信号をゼロにして発振回路１２の発振出力をゼロにして、高周波音供給部１６から出力する高周波音を停止しても構わないし、発振回路１２と高周波音供給部１６との間を繋ぐ配線を遮断しても構わない。また、発振回路１２を含む高周波信号発生部１０の電源供給ライン（図示せず）に供給する電源電圧を遮断しても構わない。
【００５５】
次に、便蓋５について説明する。
【００５６】
便蓋５は、装置本体１５に対して回動自在に軸支されている。便蓋５の裏面には高周波音供給部１６が配置されており、高周波信号発生部１０で発生した高周波信号を高周波音に変換して、使用者の背後における至近距離から使用者に高周波音を供給する構成になっている。ここで、便蓋５の裏面とは、便座６に着座した使用者の背面に対向する面のことである。
【００５７】
次に、装置本体１５について説明する。
【００５８】
図３は、図１に示した衛生洗浄装置におけるリモートコントローラ１４及び装置本体１５の構成を示すブロック図である。
【００５９】
図１及び図３に示すように、装置本体１５は、主に、使用者の局部に洗浄水を噴出する洗浄ノズル８と、洗浄後の使用者の局部及びその周辺に温風を送風する乾燥手段９と、高周波信号を発生する高周波信号発生部１０と、高周波信号発生部１０で発生した高周波信号を高周波音に変換する高周波音供給部１６と、使用者が着座したことを検知する着座検知部１８と、制御部２７とから構成されている。
【００６０】
制御部２７は、人体検知部４、リモートコントローラ１４及び着座検知部１８から送信される信号に基づいて、洗浄ノズル８、乾燥手段９及び高周波信号発生部１０の動作を制御する。また、装置本体１５には、人体検知部４が使用者の入室を検知した検知信号に基づき、便蓋５を自動開閉させる便蓋自動開閉機構（図示せず）が内蔵されている。
【００６１】
次に、着座検知部１８について説明する。
【００６２】
図１に示すように、着座検知部１８は、装置本体１５の上面、即ち便座６よりも高い位置に設けられ、例えば、赤外線発光部と赤外線受光部とを有する反射型の赤外線センサなどの光学センサが好ましく採用される。着座検知部１８として赤外線センサを採用した場合、着座検知部１８は、その赤外線発光部から発射される赤外線が便座６の着座面に着座した使用者の身体に当って反射し、反射した赤外線を着座検知部１８の赤外線受光部で受光し、使用者の着座の有無を検知することができる。
【００６３】
次に、高周波信号発生部１０について説明する。
【００６４】
図３に示すように、高周波信号発生部１０は、超音波制御部１１と、発振回路１２とから構成されている。
【００６５】
超音波制御部１１は、制御部２７に接続されており、制御部２７からのディジタル制御信号に基づいて、２つのアナログ制御信号を生成し、第１および第２のアナログ制御信号に応じて発振回路１２の動作を制御する。
【００６６】
また、発振回路１２は、回路構成する回路素子の定数によって発振周波数が決定され、第１のアナログ制御信号のレベルに応じて回路素子の定数を可変して発振周波数を変調することができ、２０ｋＨｚ〜１００ｋＨｚの周波数範囲内において周波数変調した所定周期の正弦波（電圧）で発振する。そして、発振回路１２は、超音波制御部１１から印加される第２のアナログ制御信号によって発振出力レベルが制御される。発振回路１２の出力には接続コード１７を介して高周波音供給部１６に接続されており、第２の制御信号のレベルに応じて高周波信号の振幅を変調することができる。
【００６７】
なお、発振回路１２は、コンデンサ（図示せず）、抵抗素子（図示せず）および可変抵抗回路（図示せず）を組み合わせた回路網で構成しても構わない。この場合は、その可変抵抗回路に与える第１のアナログ制御信号を制御して可変抵抗回路の抵抗値特性を可変することで、発振周波数を可変することができる。
【００６８】
また、発振回路１２は、ジャイレータ回路（図示せず）とコンデンサ（図示せず）で共振回路を構成し、その共振回路を含んだ回路網で発振回路を構成しても構わない。この場合は、そのジャイレータ回路に与える第１のアナログ制御信号を制御してジャイレータ回路のインダクタンス値特性を可変することで、共振周波数に依存する発振周波数を可変することができる。更に、圧電素子等の振動子を組み込んで発振回路を構成しても良い。
【００６９】
次に、高周波音供給部１６は、高周波信号発生部１０（又は発振回路１２）の出力から印加される高周波信号を高周波音に変換して出力する。これにより、高周波音供給部１６は、２０ｋＨｚ〜１００ｋＨｚの高周波音を使用者に供給することができる。なお、高周波音供給部１６は、電気信号を音波に変換するものであれば良く、特に限定はされるものではないが、例えば、圧電装置やスピーカーを採用することができる。
【００７０】
以下に制御部２７における制御動作について図１、図２及び図３に基づいて説明する。
【００７１】
使用者がトイレ室３内に入室すると、人体検出部４により使用者の入室が検知され、人体検出部４より、人体検知信号が装置本体１５の制御部２７に送信され、使用者の入室と同時に便蓋５が自動で開成される。その後、使用者により、リモートコントローラ１４の癒しスイッチ２６が操作されると、その操作信号が制御部２７へと送信され、制御部２７はディジタル制御信号を超音波制御部１１へ送信する。すると、超音波制御部１１は、ディジタル制御信号に応じた第１および第２のアナログ制御信号を生成し、その制御信号を発振回路１２へ供給する。
【００７２】
発振回路１２は、２０ｋＨｚ〜１００ｋＨｚの所定周期の正弦波で発振を行い、その発振出力である高周波信号を高周波音供給部１６へ供給する。高周波音供給部１６は、この高周波信号を高周波の音波に変換して、高周波音を使用者へ供給する。
【００７３】
図１に示すように、高周波音供給部１６を便蓋５の裏面に設け、便蓋５を開いて倒立した状態で使用者が便座６に着座すると、使用者の背面至近距離から使用者に向けて高周波音を供給することができるため、高周波音が高周波音供給部１６から使用者に到達するまでに減衰することを低減でき、使用者の受容する高周波音を増加させることができる。そして、使用者の脳をリラックスさせるハイパーソニック効果が十分に得られ、トイレ空間内の快適性を向上させることができる。また、本発明の衛生洗浄装置は、高周波音をメモリーに記憶して再生する必要がないため、回路が簡素に構成され、衛生洗浄装置全体を小型かつ低コストで構成することができる。
【００７４】
また、高周波音供給部１６を便蓋５に設けたことにより、高周波音供給部１６から発した高周波音が、障害物などの影響を受けることなく使用者に供給されるため、使用者に確実にハイパーソニック効果を与えることができ、トイレ空間の快適性を向上させることができる。
【００７５】
また、使用者の背面至近距離から高周波音を供給することで、空気中での高周波音の減衰を減らすことが可能となり、使用者の受容する高周波音を増加させることができる。そして、高周波信号発生部１０と高周波音供給部１６との配線距離を短くすることで、高周波信号発生部１０と高周波音供給部１６との間を接続する配線にノイズが混入することを抑制することが可能となり、ノイズや歪の少ない高周波音を使用者に供給することができる。
【００７６】
なお、上述した本実施形態は、高周波信号発生部１０を装置本体１５に設け、高周波音供給部１６を便蓋５に設けた形態について説明したが、これに限定されるものではなく、高周波信号発生部１０及び高周波音供給部１６を便蓋５に設けても、同様な作用効果が得られる。
【００７７】
（第２実施形態）
以下、本発明の第２実施形態に係る衛生洗浄装置について、図面を用いて詳細に説明する。図４は、第２実施形態の衛生洗浄装置を示す外観図である。
【００７８】
第２実施形態に係る衛生洗浄装置が、第１実施形態に係る衛生洗浄装置と異なるのは、高周波信号発生部１０及び高周波音供給部１６が装置本体１５に設けられている点であり、第１実施形態と同一部位は同一符号を付して説明を省略する。
【００７９】
なお、上述した第１実施形態と同様に、使用者にハイパーソニック効果をより確実に与えるという観点から、高周波音供給部１６と使用者との間に隙間を設けることが好ましく、後述する実施例から、高周波音供給部１６と使用者との間の距離としては、１０ｃｍ〜１００ｃｍであることが好ましい。
【００８０】
したがって、高周波音供給部１６を装置本体１５に設ける場合には、装置本体１５の袖部１５ａに設けることが好ましい。
【００８１】
この構成により、使用者に至近距離から高周波音を供給することで、空気中での高周波音の減衰を減らすことが可能となり、使用者の受容する高周波音を増加させることができる。このため、使用者に確実にハイパーソニック効果を与えることができ、トイレ空間の快適性を向上させることができる。
【００８２】
また、装置本体１５に高周波信号発生部１０及び高周波音供給部が設けられているため、便蓋５を軽量化することが可能となり、便蓋可動部の負荷を軽減することができる。
【００８３】
（第３実施形態）
以下、本発明の第３実施形態に係る衛生洗浄装置について、図面を用いて詳細に説明する。図５は、第３実施形態の衛生洗浄装置を示す外観図である。
【００８４】
第３実施形態に係る衛生洗浄装置が、第１および第２実施形態に係る衛生洗浄装置と異なるのは、高周波信号発生部１０及び高周波音供給部１６がリモートコントローラ１４に設けられている点であり、第１および第２実施形態と同一部位は同一符号を付して説明を省略する。
【００８５】
図５に示すように、高周波音供給部１６をリモートコントローラ１４に設けたことにより、高周波音供給部１６から供給される高周波音が、障害物などの影響を受けることなく使用者に供給され、使用者に確実にハイパーソニック効果を与えることができ、使用者がトイレ室３内に居るときの快適性を向上させることができる。
【００８６】
また、高周波音供給部１６を内蔵したリモートコントローラ１４は、人による持ち運びが自在であり、リモートコントローラ１４を持ち運んだ先のトイレ室３以外の居住空間でも、使用者にハイパーソニック効果を与えることができる。
【００８７】
（第４実施形態）
以下、本発明の第４実施形態に係る衛生洗浄装置について、図面を用いて詳細に説明する。図６は、第４実施形態の衛生洗浄装置におけるリモートコントローラを示す概略図である。
【００８８】
第４実施形態に係る衛生洗浄装置が、第１〜３実施形態に係る衛生洗浄装置と異なるのは、リモートコントローラ１４に報知手段３０を設けている点であり、第１〜３実施の形態と同一部位は同一符号を付して説明を省略する。
【００８９】
図６に示すように、報知手段３０は、高周波信号発生部１０が動作していることを使用者に視覚的に報知するものであり、高周波音供給部１６から高周波音を発しているときに点灯するＬＥＤ、ランプ等の表示素子であっても良いし、動作状態のＯＮ／ＯＦＦを活字で表示するものや、高周波信号の大きさをレベル表示する表示装置であっても良い。
【００９０】
衛生洗浄装置は、高周波音供給部１６から２０ＫＨｚ以上の高周波音の刺激を使用者の脳に与えて、使用者の精神状態をリラックスさせるハイパーソニック効果を得るものであり、使用者がトイレ室３内に居るときの快適性を改善するものである。しかし、その高周波音供給部１６が高周波音を発しているか否かは、人間の聴覚では判断できない。
【００９１】
高周波信号発生部１０の動作に応じて報知手段３０を点灯することで、高周波音供給部
１６から高周波音を発していると判断することができ、報知手段３０が点灯している時は高周波音が停止していると、使用者は視覚的に判断することができる。
【００９２】
従って、使用者がリモートコントローラ１４の癒しスイッチ２６を操作ミスして、衛生洗浄装置の周波信号発生部１０を作動できなかった場合は、報知手段３０が消灯状態を継続していることを使用者が確認して、周波信号発生部１０の停止状態を確認することができる。そして、使用者が癒しスイッチ２６を再度操作することで、周波信号発生部１０を作動させ、ハイパーソニック効果を得ることができる。また、衛生洗浄装置が停止していることは、報知手段３０の消灯状態で確認することができ、高周波音が人の耳に聞こえなくても、衛生洗浄装置の動作状態を視覚で確認することができる。
【実施例】
【００９３】
以下、実施例及び比較例を挙げて本発明の衛生洗浄装置について更に詳しく説明するが、本発明はこれらの実施例に何ら限定されるものではない。
【００９４】
一般的に、使用者にハイパーソニック効果を効果的に与えるという観点から、使用者に供給する高周波音としては、一定周期の安定な音ではなく、非定常なゆらぎ構造を有する高周波域の自然環境音が望ましく、非定常のゆらぎ構造を有する音楽が必要であると言われていた。
【００９５】
しかしながら、本発明者らは鋭意検討の結果、ホワイトノイズなど騒音環境下においても、非定常のゆらぎ構造を有する高周波域の自然環境音ではなく、所定周期の高周波音（人工音）を使用した場合であっても、高周波域の自然環境音と同様にハイパーソニック効果を得ることができることを見出した。
【００９６】
以下、その結果について詳しく説明する。
【００９７】
（実施例１）
以下に示す条件により、図１及び図３に示した衛生洗浄装置の高周波音供給部１６から使用者に供給する高周波音を含む音を生成した。
【００９８】
すなわち、所定周期の高周波信号として、中心周波数４０ｋＨｚを中心にした正弦波信号を０．１秒の周期で４５ｋＨｚ〜３５ｋＨｚの範囲で三角波状に周波数変調させるとともに、その正弦波信号の振幅（音圧）を２秒の周期で＋５ｄＢ〜−５ｄＢの範囲で三角波状に振幅変調させた高周波信号を生成した。そして、この所定周期の高周波信号をホワイトノイズとともに高周波音供給部１６へ供給し、高周波音とホワイトノイズを含んだ音を生成した。
【００９９】
（比較例１）
可聴域の騒音として、ホワイトノイズを供給した。
【０１００】
（比較例２）
自然環境音（一定の周期を有さないゆらぎ構造を有する高周波音を含む音）として、高周波音を含む楽曲から２０ｋＨｚ以下の可聴域の周波数を取り除き、高周波音のみを取り出して、ホワイトノイズを混合して供給した。
【０１０１】
なお、上述の実施例１、比較例１、及び比較例２に記載のホワイトノイズは、トイレ空間内の騒音（音圧レベルがおよそ２０ｄＢ〜４０ｄＢの騒音）を想定したものであり、上述の実施例１、比較例１、及び比較例２においては、ホワイトノイズの音圧レベルを４０ｄＢとしている。これは、トイレ内の騒音としては高い値であり、家庭内のトイレとして
は、使用者がうるさいと感じる音圧レベルである。
【０１０２】
【表１】
2011140772.tif 000003
【０１０３】
［音質主観評価］
実施例１の音において、所定周期の高周波音とホワイトノイズとの音圧比を変化させて被験者に供給し、音質主観評価を行った。音質主観評価は、５人の被験者が受ける感覚で行った。また、被験者とスピーカー（パナソニック社製、形式番号ＳＢ−ＳＦ１００）との距離は、１０ｃｍとしている。
【０１０４】
音質主権評価を行った結果を図７に示す。図７において、横軸は、被験者に供給する高周波音とホワイトノイズとの音圧比である。また、縦軸は、音質の快適性を７段階で評価したもので、図７の縦軸に示す「０」に近づくほど被験者は非常に不快であると感じており、図７の縦軸に示す「６」に近づくほど被験者は非常に快適であると感じている。
【０１０５】
具体的には、「０」を「非常に不快」、「１」を「不快」、「２」を「やや不快」、「３」を「どちらでもない」、「４」を「やや快適」、「５」を「快適」、「６」を「非常に快適」とし、評価を行った。
【０１０６】
図７に示した結果から明らかなように、人工の高周波音を使用者に供給した場合であっても、被験者に供給する高周波音とホワイトノイズとの音圧比を１以上にしたとき、被験者は、高周波音とホワイトノイズとの音圧比を０にしたとき（高周波音を供給していないとき）に比べ、快適であると感じていることが確認された。
【０１０７】
［脳波測定］
聴覚に異常のない健康な成人男性３人の被験者に、実施例１、比較例１、及び、比較例２の音をスピーカー（パナソニック社製、形式番号ＳＢ−ＳＦ１００）から供給したときの被験者の脳波を測定した。被験者とスピーカーとの距離は、１００ｃｍとしている。また、被験者に供給される高周波音とホワイトノイズとの音圧比が「１」となるようにしている。
【０１０８】
脳波測定は、脳波計測装置（ひとセンシング社製、商品名：中枢リズムモニタ）を用いて、右耳朶を接地し、左耳朶を基準として、後頭部Ｐｚ（国際１０／２０法）から脳波を収集し、α波（８〜１３Ｈｚ）含有量およびβ（１３〜３０Ｈｚ）含有量を測定し、α／β比を算出した。
【０１０９】
実施例１、比較例１、及び、比較例２の音を供給したときの被験者の脳波（α含有量／β含有量）を測定した結果を図８に示す。図８において、被験者に実施例１、比較例１、
及び、比較例２のそれぞれの音を供給する前の被験者の脳波のα／β比を「１」としている。図８において、縦軸は、被験者の脳波のα／β比の変化量である。
【０１１０】
一般的に、脳波のα／β比測定において、α含有量が多くなるほど、被験者はリラックスしているとされている。したがって、図８においては、被験者に実施例１、比較例１、及び、比較例２のそれぞれの音を供給する前の被験者の脳波のα／β比に比べて、被験者に実施例１、比較例１、及び、比較例２のそれぞれの音を供給したときの被験者の脳波のα／β比が増えているほど、被験者は快適に感じていることを示している。
【０１１１】
逆に、被験者に実施例１、比較例１、及び比較例２のそれぞれの音を供給する前の被験者の脳波のα／β比に比べて、被験者に実施例１、比較例１、及び比較例２のそれぞれの音を供給したときの被験者の脳波のα／β比が減っているほど、被験者は不快に感じていることを示している。
【０１１２】
図８に示した実験結果から明らかなように、被験者に比較例１のホワイトノイズ音を供給した場合、被験者のα／β比が減少しており、被験者は可聴域のホワイトノイズ音を聴くことで、不快に感じていることが確認できた。
【０１１３】
また、被験者に比較例２の音を供給した場合、被験者に可聴域のホワイトノイズ音を聞かせて不快になる環境下であるにも拘らず、α／β比の低下が防止され、高周波音の供給により快適性が向上していることが確認された。
【０１１４】
さらに、被験者に実施例１の音を供給した場合、比較例２と同様またはそれ以上にα／β比が上昇することが認められ、所定周期の高周波音を供給することにより、使用者が感じる快適性がより向上していることが確認された。
【０１１５】
以上の実験結果より、人工音を使用した場合であっても、トイレ空間の騒音（約２０〜４０ｄＢ）以上の音圧レベルで、所定周期の高周波音を供給することで、ハイパーソニック効果を得ることができると判断できる。
【０１１６】
［高周波音の減衰減少効果］
高周波音供給部から使用者までの距離による高周波音の減衰減少効果について測定した。
【０１１７】
高周波音の減衰減少効果の測定は、高周波音供給部として、便蓋５に組み込み可能な大きさを想定し、９８ｋＨｚまで再生可能な１．２ｃｍスーパーツィーター（パナソニック社製、形式番号ＳＢ−ＳＦ１００）を使用し、使用者として、集音マイク（Ｂｒｕｅｌ＆Ｋｊｅｒ社製、形式番号４１３６）を使用して行った。
【０１１８】
具体的には、周波数が２０ｋＨｚ〜９０ｋＨｚの正弦波の高周波信号は、パーソナルコンピュータで作成した。その高周波信号をオーディオインターフェース（ＮＩ製、商品名ＡＵＤＩＯ  ＫＯＮＴＬＯＲ１）およびアンプ（パナソニック社製、形式番号ＳＵ−ＸＲ５７）で増幅して、増幅した高周波信号をスピーカーから高周波音として再生した。そして、再生した音を上述の集音マイクで集音し、その後、アンプ（Ｋｅｍｏ製、形式番号ＶＢＦ８）で増幅した後、上述の集音マイク（Ｂｒｕｅｌ＆Ｋｊｅｒ社製、形式番号４１３６）の出力電圧の周波数特性を解析した。また、集音マイクとスピーカーとの距離は、１ｃｍ、５ｃｍ、３０ｃｍ、５０ｃｍ、及び１００ｃｍの５つの測定点として、集音マイクの出力電圧を測定した。
【０１１９】
図９は、高周波音供給部１６から使用者までの距離に対する高周波音の音圧レベルを示
す特性図である。図９において、横軸は高周波音の周波数であり、縦軸は集音マイクの出力電圧から換算したｄＢ値である。
【０１２０】
図９では、集音マイクの出力電圧のｄＢ値が大きいほど、集音マイクの設置位置まで高周波音が到達していることを示しており、スピーカーと集音マイクとの距離が離れるほど、高周波音の各周波数における集音マイクの出力電圧値は減少することが確認された。
【０１２１】
トイレ空間内の騒音として４０ｄＢを想定した場合、図７に示すように、使用者にハイパーソニック効果をより効果的に与えるという観点からは、高周波音とノイズとの音圧比を「１」以上とすることが好ましい。この観点から、使用者と高周波音供給部１６との距離は、３０ｃｍ以上であることが好ましい。
【０１２２】
なお、使用者と高周波音供給部１６との距離が３０ｃｍよりも離れる場合であっても、高周波音の音量を大きくして高周波音とノイズとの音圧比が「１」以上になるようにすれば、使用者にハイパーソニック効果を効率的に与えることができる。
【産業上の利用可能性】
【０１２３】
以上のように本発明の衛生洗浄装置は、使用者の至近距離で高周波音を呈示する構成としたことで高周波音の減衰を減らし、ハイパーソニック効果による快適性の向上を図るものであるため、快適性の向上などの用途にも適用できる。
【符号の説明】
【０１２４】
１  衛生洗浄装置
２  便器
３  トイレ室
４  人体検知部
５  便蓋
６  便座
７  電気ケーブル
８  洗浄ノズル
１０  高周波信号発生部
１５  装置本体
１６  高周波音供給部
１８  着座検知部
【図３】
2011140772.tif 000004
【図１】
2011140772.tif 000005
【図２】
2011140772.tif 000006
【図４】
2011140772.tif 000007
【図５】
2011140772.tif 000008
【図６】
2011140772.tif 000009
【図７】
2011140772.tif 000010
【図８】
2011140772.tif 000011
【図９】
2011140772.tif 000012
【図１０】
2011140772.tif 000013
【図１１】
2011140772.tif 000014